(57)【特許請求の範囲】
【請求項１】
直立状の縦支柱(１)に多数段設けられている係合孔(７)に係合しうる係止爪(８)を有する係合片(２)と、
上端が係合片(２)に回動可能に枢支され、断面コ字形のチャンネル材からなるとともに、前面に棚板(11)の取付用孔(10)が長手方向に多数設けられている傾斜支柱(３)と、
一端に、縦支柱(１)の係合孔(７)へ係合しうるフック爪(18)を有し、他端に、後方から傾斜支柱(３)の内部へ入って傾斜支柱(３)と当接しうる当接部(15)を有する角度調整杆(４)とを備え、
角度調整杆(４)のフック爪(18)を縦支柱(１)における任意の係合孔(７)に係合するとともに、その当接部(15)を傾斜支柱(３)に当接させることによって、傾斜支柱(３)の傾斜角度を調整しうるようにしたことを特徴とする陳列棚における支柱装置。
【発明の詳細な説明】
【０００１】
【発明の属する技術分野】
本発明は、商品陳列用の棚板を傾斜状に支持するようにした陳列棚の支柱装置に関する。
【０００２】
【従来の技術】
書籍、ビデオカセット等の商品を陳列する陳列棚では、下方に設けられる棚板を上向きに傾斜させることによって、商品を見易くする工夫がなされている。
【０００３】
図６は、このような陳列棚を示し、ベース(71)から平行に直立させた縦支柱(72)の前面に、係合孔(73)が複数段に設けられ、三角状に屈曲された傾斜支柱(74)は、その上下の端部を係合孔(73)に係合させることによって、縦支柱(72)に取り付けられ、この傾斜支柱(74)の取付用孔(75)に棚板(図示省略)を係止することによって、棚板が上向き状態で支持されるようになっている。
【０００４】
この陳列棚は、傾斜支柱(74)の角度が固定的であるため、傾斜角度を変更できず、商品に適合した最適な角度を設定できない不便さを有している。
【０００５】
図７及び図８は、この角度を調整できるようにした、実開平７−１３２５３号公報に記載された陳列棚を示し、係合孔(82)を複数段に有する縦支柱(81)がベース(83)に起立状に支持されており、この縦支柱(81)に、棚受け部材(84)が取り付けられる。
【０００６】
棚受け部材(84)は、ヒンジ部材(85)によって相互に回動可能に連結された棚受けアーム(86)及び支持アーム(87)を有し、かつ縦支柱(81)の係合孔(82)に係止される係合爪ブロック(88)(89)が、各アーム(86)(87)の端部にヒンジ結合されている。
【０００７】
棚受けアーム(86)は、棚板(91)(図８参照)を取り付けるためのものであり、そのため、前面(90)に取付用孔(図示せず)が複数段に設けられている。
【０００８】
この陳列棚は、棚受けアーム(86)の係合爪ブロック(88)を縦支柱(81)の係合孔(82)に係止し、かつ支持アーム(87)の係合爪ブロック(89)を、下側の係合孔(82)に係止させることによって組み付けられる。棚受けアーム(86)の傾斜角度の調整は、係合孔(82)への係合爪ブロック(88)、(89)の取付位置を変更することによって行われる。
【０００９】
【発明が解決しようとする課題】
しかし、この従来の構造の陳列棚には、次のような問題点がある。
【００１０】
(ａ)棚受けアーム(86)と支持アーム(87)とが、ヒンジ部材(85)によって連結されているため、棚受けアーム(86)の最大の傾斜角度は、支持アーム(87)が図９のＸで示す水平位置のときとなり、これ以上に傾斜角度を大きくすることができず、商品陳列の傾斜角度を設定できる自由度が小さい。
【００１１】
(ｂ)棚受けアーム(86)の傾斜状態を保持するためには、その支持を行う支持アーム(87)の係合爪ブロック(89)を、常に、縦支柱(81)に係止させておく必要がある。
【００１２】
そのため、棚受け部材(84)の全体を下側に位置させる場合にも、支持アーム(87)の係合爪ブロック(89)を縦支柱(81)の最下位の係合孔(82)に係止しなければならず、支持アーム(87)に連結されている棚受けアーム(86)を、一定以上、下げることができず、陳列の有効高さが損なわれる。
【００１３】
この場合、図８のＹで示すように、支持アーム(87)の係合爪ブロック(89)を縦支柱(81)の上方の係合孔(82)に係止させることにより、棚受け部材(84)の全体を下側に位置させることが考えられるが、このようにすると、支持アーム(87)の係合爪ブロック(89)に上向きの荷重が作用するため、係合爪ブロック(89)が外れ易くなり、実施が困難である。
【００１４】
本発明は、従来の陳列棚が有する上述のような問題点に鑑み、商品陳列の傾斜角度を大きくすることがで、かつ陳列の有効高さを損なうことのないようにした、陳列棚の支柱装置を提供することを目的としている。
【００１５】
【課題を解決するための手段】
本発明によると、上記課題は、直立状の縦支柱(１)に多数段設けられている係合孔(７)に係合しうる係止爪(８)を有する係合片(２)と、上端が係合片(２)に回動可能に枢支され、断面コ字形のチャンネル材からなるとともに、前面に棚板(11)の取付用孔(10)が長手方向に多数設けられている傾斜支柱(３)と、一端に、縦支柱(１)の係合孔(７)へ係合しうるフック爪(18)を有し、他端に、後方から傾斜支柱(３)の内部へ入って傾斜支柱(３)と当接しうる当接部(15)を有する角度調整杆(４)とを備え、角度調整杆(４)のフック爪(18)を縦支柱(１)における任意の係合孔(７)に係合するとともに、その当接部(15)を傾斜支柱(３)に当接させることによって、傾斜支柱(３)の傾斜角度を調整しうるようにしたことによって解決される。
【００１６】
【発明の実施の形態】
図１〜図５は、本発明の実施の一形態を示すもので、図１に示すように、ベース(５)から直立する左右の縦支柱(１)と、縦支柱(１)に係止される係合片(２)と、縦支柱(１)に取り付けられる傾斜支柱(３)と、傾斜支柱(３)と縦支柱(１)の間に配置される角度調整杆(４)とを有している。
【００１７】
左右の縦支柱(１)は、その上下端部に連結材(６)を掛け渡して、相互に連結され、その前面には、係合孔(７)が長さ全域に渡って多数段に設けられている。
【００１８】
図２に示すように、係合片(２)の一側には、係止爪(８)が複数形成されており、この係止爪(８)が縦支柱(１)の係合孔(７)に係合することにより、縦支柱(１)に係止される。
【００１９】
係止爪(８)が形成された側と反対側の係合片(２)の上隅部には、締結部材としてのナット(９)が、溶接等によって取り付けられている。このナット(９)によって、係合片(２)が傾斜支柱(３)に組み付けられる(図３参照)。
【００２０】
傾斜支柱(３)は、図３に示すように、断面コ字形のチャンネル材からなり、その前面には、縦支柱(１)の係合孔(７)と同様の取付用孔(10)が、長手方向に沿って複数段設けられ、この取付用孔(10)を介して、棚板(11)を取り付けるようになっている。係合片(２)は、この傾斜支柱(３)の一端(上端)側に取り付けられる。
【００２１】
図３は、傾斜支柱(３)に係合片(２)を取り付ける構造を示し、係合片(２)は、開放状態となっている後側から傾斜支柱(３)の内部に挿入され、この挿入状態で、締結部材としてのビス(12)を傾斜支柱(３)の側面に外側から貫通させ、係合片(２)のナット(９)に螺合させることにより、係合片(２)を取り付ける。従って、ビス(12)の螺合を緩めることにより、係合片(２)及び傾斜支柱(３)は、相互に回動可能となる。
【００２２】
この実施の形態では、傾斜支柱(３)に対して２枚の係合片(２)が設けられ、各係合片(２)が傾斜支柱(３)の側面に取り付けられており、複数の係合片(２)を介して傾斜支柱(３)を縦支柱(１)に取り付けることによって、傾斜支柱(３)が安定し、ガタつきなく縦支柱(１)に組み付けることができる。
【００２３】
さらに、この実施の形態では、係合片(２)は傾斜支柱(３)の内部に挿入されており、外部から見えないため、外観が向上している。
【００２４】
角度調整杆(４)の長さ方向の一端側には、図４に示すようにフック爪(13)が複数形成されており、他端側には、アングル材(14)が溶接等によって接合されている。このアングル材(14)の接合によって、他端側は２叉状の当接部(15)となっている。
【００２５】
角度調整杆(４)の一端側のフック爪(13)を縦支柱(１)の係合孔(７)に係合することによって、角度調整杆(４)は縦支柱(１)から前方側に水平に突設した状態となる。
【００２６】
この縦支柱(１)への取り付け状態で、角度調整杆(４)の他端側の当接部(15)は、後側から傾斜支柱(３)の内部に挿入されて傾斜支柱(３)と当接する。
【００２７】
この当接によって、傾斜支柱(３)の回動は停止し、さらに、その自重が当接部(15)によって受けられるため、傾斜支柱(３)は安定した傾斜状態を維持することができる。
【００２８】
なお、この実施の形態においては、角度調整杆(４)の当接部(15)が傾斜支柱(3)の内部に挿入されて、当接部(15)が外部から見えないため、外観が向上している。
【００２９】
図１において、(11)は商品が並べられるＬ字状の棚板であり、その両端に設けた複数のフック片(16)を、傾斜支柱(３)の取付用孔(10)に係合させることにより、左右の傾斜支柱(３)に掛け渡されている。
【００３０】
図５は、この実施の形態の使用状態を示し、ビス(12)の締め付けを緩めることにより、傾斜支柱(３)を回動可能状態とし、角度調整杆(４)をこの傾斜支柱(３)の後側から挿入し、角度調整杆(４)の当接部(15)に傾斜支柱(３)を当接させることにより、傾斜支柱(３)の角度を調整する。
【００３１】
図５においては、縦支柱(１)の下部における左右の傾斜支柱(３)の中、左側の傾斜支柱(３)の傾斜角度に比べて、右側の傾斜支柱(３)の傾斜角度が大きくなっている。
【００３２】
この傾斜角度の調整は、角度調整杆(４)の縦支柱(１)への取り付け高さを変更することでなされ、角度調整杆(４)を上に位置させるにしたがって、傾斜支柱(３)の傾斜角度を大きくすることができる。
【００３３】
このように、角度調整杆(４)の位置によって、傾斜支柱(３)の傾斜角度を変更できるため、傾斜角度を大きくすることが可能であり、商品陳列の角度設定の自由度が大きくなる。
【００３４】
傾斜支柱(３)を直立に近い角度とするには、角度調整杆(４)を下に位置させればよく、このように、角度調整杆(４)を下方に位置させる構造であるため、角度調整杆(４)が傾斜支柱(３)を下方に取り付ける際の邪魔になることがなく、陳列の有効高さを確保することができる。
【００３５】
なお、本発明では、係合片(２)を単一とし、この単一の係合片(２)によって、傾斜支柱(３)を縦支柱(１)に取り付けてもよい。
また、角度調整杆(４)の当接部(15)の内部に傾斜支柱(３)を導入して、傾斜支柱(３)を当接させてもよい。
さらに、長さが異なる複数の角度調整杆(４)を使用して、傾斜支柱(３)の角度調整を行ってもよい。
【００３６】
【発明の効果】
本発明によると、次のような効果を奏することができる。
(ａ)傾斜支柱の傾斜角度は、角度調整杆を上方に位置させるにしたがって大きくすることができるため、傾斜支柱の傾斜角度を大きくすることが可能であり、商品陳列の角度設定の自由度が大きくなると共に、角度調整杆を下方に位置させることにより、傾斜支柱を直立に近い角度とするため、角度調整杆が傾斜支柱を下方に取り付ける際の邪魔になることがなく、陳列の有効高さを確保することができる。
【００３７】
(ｂ)角度調整杆の他端側を傾斜支柱の内部に挿入するため、角度調整杆が外部から見えることがなく、外観が向上する。
【図面の簡単な説明】
【図１】本発明の実施の形態の分解斜視図である。
【図２】係合片の正面図である。
【図３】係合片と傾斜支柱との組み付け状態の断面図である。
【図４】(ａ)は角度調整杆の正面図、(ｂ)はその平面図である。
【図５】実施の形態の使用状態の正面図である。
【図６】傾斜角度が固定されている陳列棚の斜視図である。
【図７】傾斜角度を調整できる従来の陳列棚の部分斜視図である。
【図８】傾斜角度を調整できる従来の陳列棚の正面図である。
【符号の説明】
(１)縦支柱
(２)係合片
(３)傾斜支柱
(４)角度調整杆
(５)ベース
(６)連結材
(７)係合孔
(８)係止爪
(９)ナット
(10)取付用孔
(11)棚板
(12)ビス
(13)フック爪
(14)アングル材
(15)当接部
(16)フック片
【図１】
0003584417.tif 000002
【図２】
0003584417.tif 000003
【図３】
0003584417.tif 000004
【図４】
0003584417.tif 000005
【図５】
0003584417.tif 000006
【図６】
0003584417.tif 000007
【図７】
0003584417.tif 000008
【図８】
0003584417.tif 000009